(57)【要約】【課題】微生物およびスライムを取り除くメンテナンスの頻度が少なくて済む排水ユニットを提供すること。【解決手段】本発明の空気調和装置の排水ユニットは、熱交換器で発生したドレン水ＤＷを貯溜し、他の領域より凹んだドレン溜まり１３０を有するドレンパン１３と、ドレンパン１３に貯溜されるドレン水を吸い上げるドレンポンプ１６と、ドレンポンプ１６により吸い上げられたドレン水ＤＷを外部へと排出するためのドレン配管１７と、ドレンパン１３に貯溜されるドレン水ＤＷに殺菌要素ＳＤを発生する殺菌要素発生源２５と、を備える。殺菌要素発生源２５は、ドレン溜まり１３０に貯溜されるドレン水ＤＷに向けて殺菌要素ＳＤを発生させる。【選択図】図２
2020133915.tif 000002
【特許請求の範囲】
【請求項１】
熱交換器で発生したドレン水を貯溜し、他の領域より凹んだドレン溜まりを有するドレンパンと、
前記ドレンパンに貯溜されるドレン水を吸い上げるドレンポンプと、
前記ドレンポンプにより吸い上げられたドレン水を排出するためのドレン配管と、
前記ドレンパンに貯溜される前記ドレン水に殺菌要素を発生する殺菌要素発生源と、を備え、
前記殺菌要素発生源は、
前記ドレン溜まりに貯溜される前記ドレン水に向けて前記殺菌要素を発生させる、空気調和装置の排水ユニット。
【請求項２】
前記ドレンパンは、前記ドレン溜まりに臨む透明領域を備え、
前記殺菌要素発生源は、前記透明領域を透過する紫外線を発生させる、
請求項１に記載の排水ユニット。
【請求項３】
前記ドレンポンプは、その吸い込み口が前記ドレン溜まりに対応するように設けられ、
前記殺菌要素発生源は、前記吸い込み口に向けて前記殺菌要素を発生させる、
請求項１または請求項２に記載の排水ユニット。
【請求項４】
前記殺菌要素発生源は、前記ドレンポンプの運転中、または、前記ドレンポンプの停止中に前記殺菌要素を発生させる、
請求項１〜請求項３のいずれか一項に記載の排水ユニット。
【請求項５】
前記殺菌要素発生源は、前記ドレンポンプが停止してから所定の時間だけ、前記殺菌要素を発生させる、
請求項４に記載の排水ユニット。
【請求項６】
冷媒と室内空気との熱交換を行う室内熱交換器と、
前記室内熱交換器に室内空気を送る送風機と、
前記室内熱交換器の表面で凝縮、液化して生成される前記ドレン水を排出する、
請求項１〜請求項５のいずれか一項に記載の排水ユニットと、
を備える空気調和装置の室内機。
【発明の詳細な説明】
【技術分野】
【０００１】
本発明は、空気調和装置の室内機に設けられるドレンパンに発生する微生物の駆除に関する。
【背景技術】
【０００２】
空気調和装置の室内機は、熱交換器に空気を通過させて所定の温度に調整する際、空気中に含まれる多くの塵、カビ、微生物等が熱交換器の表面に付着する。そして、特に、冷房時には熱交換器の表面に多量の凝縮水が発生し、発生した凝縮水がドレンパンへと集められる。この凝縮水には熱交換器の表面に付着していた塵、カビ、微生物等の付着物が含まれる。
【０００３】
こうして、ドレンパン内のドレン水に汚れが蓄積されており、カビや菌等の微生物にとっては栄養状態が良好で繁殖に適した環境になり得る。特に、高温高湿な条件が重なる梅雨から夏季の時期にはドレン水の量も多くなり、微生物の増殖の温床となり、微生物および微生物からの代謝物である粘性状のスライムが多量に発生して配管やドレンポンプの流路を閉塞させる。
【０００４】
そこで、特許文献１は、汚れ捕集部に対して所定の波長の紫外線を照射するためのＵＶ光源を設置して、微生物の繁殖を防止することを提案している。
【先行技術文献】
【特許文献】
【０００５】
【特許文献１】特開２０１３−２５３７１１号公報
【発明の概要】
【発明が解決しようとする課題】
【０００６】
ところが、特許文献１の提案は、フィルター状の部材からなる汚れ捕集部に捕集された微生物およびスライムに紫外線を照射する。紫外線に照射されて死滅した微生物およびスライムは汚れ捕集部に蓄積されるので、汚れ捕集部に新たに流れ着いた微生物およびスライムはそれまでに蓄積された微生物およびスライムの中に埋没することを否定できない。したがって、特許文献１において微生物の繁殖を防止するには、汚れ捕集部において死滅した微生物およびスライムを頻繁に取り除くメンテナンスが必要である。
【０００７】
以上より、本発明は、微生物およびスライムを取り除くメンテナンスの頻度が少なくて済む排水ユニットおよびこの排水ユニットを有する空調用室内ユニットを提供することを目的とする。
【課題を解決するための手段】
【０００８】
本発明の排水ユニットは、熱交換器で発生したドレン水を貯溜し、他の領域より凹んだドレン溜まりを有するドレンパンと、ドレンパンに貯溜されるドレン水を吸い上げるドレンポンプと、を備える。また、本発明の排水ユニットは、ドレンポンプにより吸い上げられたドレン水を排出するためのドレン配管と、ドレンパンに貯溜されるドレン水に殺菌要素を発生する殺菌要素発生源と、を備える。
本発明に係る殺菌要素発生源は、ドレン溜まりに貯溜されるドレン水に向けて殺菌要素を発生させる。
【０００９】
本発明の排水ユニットにおいて、好ましくは、ドレンパンは、ドレン溜まりに臨む透明領域を備え、殺菌要素発生源は、透明領域を透過する紫外線を発生させる。
本発明の排水ユニットにおいて、好ましくは、ドレンポンプは、その吸い込み口がドレン溜まりに対応するように設けられ、殺菌要素発生源は、吸い込み口に向けて殺菌要素を発生させる。
【００１０】
本発明の排水ユニットにおいて、殺菌要素発生源は、好ましくは、ドレンポンプの運転中、または、ドレンポンプの停止中に殺菌要素を発生させる。
また、本発明の排水ユニットにおいて、殺菌要素発生源は、好ましくは、ドレンポンプが停止してから所定の時間だけ、殺菌要素を発生させる。
【００１１】
本発明は、冷媒と室内空気との熱交換を行う室内熱交換器と、室内熱交換器に室内空気を送る送風機と、室内熱交換器の表面で凝縮、液化して生成されるドレン水を排出する、以上のずれかの排水ユニット（３０）と、を備える空気調和装置の室内機を提供する。
【発明の効果】
【００１２】
本発明の排水ユニットは、殺菌要素発生源からドレン溜まりに貯溜されるドレン水に向けて殺菌要素を発生させる。ドレン溜まりにはドレンポンプが対応して設けられているので、ドレン溜まりにドレン水とともに集まった微生物やスライムは殺菌された後に、ドレンポンプで排出される。したがって、本発明の排水ユニットによれば、殺菌された微生物やスライムがドレンパンに残留するのを抑制できるので、微生物やスライムを除去するためのメンテナンスの頻度を低減できる。
【図面の簡単な説明】
【００１３】
【図１】本発明の実施形態に係る空気調和装置の室内機の概略構成を示す斜視図である。
【図２】（ａ）は本実施形態に係る排水ユニットの概略構成を示す断面図であり、（ｂ）は排水ユニットを構成するドレンパンの平面図である。
【図３】本実施形態に係る排水ユニットの動作を示す図であり、（ａ）は室内機を運転しているときを示し、（ａ）は室内機を停止した後を示す。
【図４】本実施形態に係る室内機の動作手順を示すフローチャートである。
【図５】（ａ）は本実施形態の変形例に係る排水ユニットの概略構成を示す断面図であり、（ｂ）は排水ユニットを構成するドレンパンの平面図である。
【図６】（ａ）は本実施形態の他の変形例に係る排水ユニットの概略構成を示す断面図であり、（ｂ）は排水ユニットを構成するドレンパンの平面図である。
【発明を実施するための形態】
【００１４】
以下、添付図面を参照しながら、本発明の一実施形態について説明する。
［室内機１０］
図１、図２に示す本実施形態の室内機１０は、いずれも図示を省略する室外機および冷媒配管とともに天井設置型の空気調和装置を構成している。
室外機は、冷媒を圧縮する圧縮機、冷媒と室外空気との間で熱交換を行う室外熱交換器、および室外ファンを備えている。
冷媒配管は、室外機と室内機１０との間で冷媒が循環するように、両者の間を連結する。
【００１５】
室内機１０は、天井（図示せず）に埋め込んで設置されたケース本体１１の内部に、冷媒と室内空気との熱交換を行う室内熱交換器１２と、ドレンパン１３と、を備えている。また、室内機１０は、室内熱交換器１２に室内空気を送る送風機１４と、送風機駆動用モータ（図示せず）と、送風機１４に向けて室内空気を案内する導風板１５と、を備えている。
ケース本体１１の下部には、図示しない外装パネルが装着されている。この外装パネルの中央部には、室内空気をケース本体１１内に吸い込むための吸込口が形成されており、この吸込口に隣接するその外側には、室内熱交換器１２を通過した空気が吹き出される吹出口が形成されている。
なお、本実施形態における上・下は、室内機１０が天井に設置された状態での上・下をいうものとする。図１は、天井に設置された状態と上・下を反転して示されている。
【００１６】
空気調和装置の運転時には、室外機からの冷媒が室内熱交換器１２に供給されるとともに、送風機駆動用モータによって送風機１４が回転駆動される。そうすると、外装パネルの吸込口から取り込まれた室内空気が導風板１５に沿って送風機１４に流入し、送風機１４によって室内熱交換器１２に吹き付けられる。この室内空気が室内熱交換器１２を通過する過程で冷却または加熱されることにより、調和空気となって外装パネルの吹出口から室内に放出される。
【００１７】
［排水ユニット３０］
冷房運転時に室内空気が室内熱交換器１２によって冷却されると、室内空気中の水分が室内熱交換器１２の表面に凝縮、液化してドレン水ＤＷとなり、ドレンパン１３のドレン溜まり１３０に向けて流れる。ドレン溜まり１３０は、ドレンパン１３の他の領域より凹んで形成されているために、ドレンパン１３に流れるドレン水ＤＷはドレン溜まり１３０に集められ、図３（ａ）に示すように貯溜される。ドレン溜まり１３０に貯溜されたドレン水ＤＷは、ドレン溜まり１３０に対応して設けられるドレンポンプ１６により吸い上げられ、ドレン配管１７、ドレンソケット１８（図１）および図示を省略する排水管を経て外部、典型的には室外に排出される。ドレンパン１３、ドレンポンプ１６、ドレン配管１７およびドレンソケット１８により排水ユニット３０が構成される。ドレンポンプ１６は、図２および図３に示される、コントローラ４０の指示にしたがって運転および停止が制御される。コントローラ４０は、後述する紫外線光源２５の発光を制御する。
【００１８】
［ドレンパン１３］
ドレンパン１３は、図２（ａ）、（ｂ）にしめすように、矩形でかつ環状をなす底部１３Ａと、底部１３Ａの内周縁および外周縁からそれぞれ上方に立ち上がる内周壁部１３Ｂ、外周壁部１３Ｃとを有している。上述した外装パネルは、底部１３Ａの下面を覆うように設けられている。外装パネルの吸込口や吹出口を介して、室内光（室内照明光や太陽光）が外装パネルの内側に入射する。
底部１３Ａには、当該底部１３Ａの各所から角隅部１３Ｅに向かうにつれて次第に下る勾配が付けられている。その角隅部１３Ｅの周辺の底部１３Ａ、内周壁部１３Ｂ、および外周壁部１３Ｃによってドレン溜まり１３０が構成されている。ドレン溜まり１３０にはほぼ常にドレン水ＤＷが溜まっているため、ドレン溜まり１３０は、微生物が繁殖し易い環境となっている。
【００１９】
ドレン溜まり１３０のドレン水ＤＷには、微生物および微生物から生成されるスライムを含んでおり、その比重により、ドレン溜まり１３０の底に滞留し易い。また、スライムは粘着性を有するために、ドレン溜まり１３０の底に付着し易い。この付着物は、例えば、灰色や茶色をなしており、その汚れの程度が進むにつれて濃くなる。
【００２０】
ドレン溜まり１３０には、厚み方向に貫通する貫通孔１３Ｄが形成されている。この貫通孔１３Ｄは、板状の透明部材２０により塞がれている。
透明部材２０は、透光性を有しており、ＰＥＴ樹脂（ポリ・エチレン・テレフタレート）、ＰＰ樹脂（ポリ・プロピレン）、ＡＳ樹脂（アクリロニトリル・スチレン）等の合成樹脂や、ソーダガラス等のガラスから構成されている。これらの材料から構成された透明部材２０は、可視光および紫外線を透過させる。
この透明部材２０は、ドレン水ＤＷに対向する内面２０Ａと、外装パネルに対向する外面２０Ｂとを有している。
透明部材２０を用いる代わりに、紫外線光源２５で貫通孔１３Ｄを塞いでもよい。
【００２１】
ドレンパン１３には、ドレン水ＤＷの水位を計測する水位計１９が内周壁部１３Ｂに設けられている。この水位計１９には、フロートスイッチが用いられる。フロートスイッチとは、液面に浮かべたフロート(浮き)が、浮力で液位に合せて上下変動することで所定の水位以上／以下でＯＮ／ＯＦＦが切り替わるスイッチである。コントローラ４０は水位計１９のＯＮ／ＯＦＦの情報を取得する。コントローラ４０は、取得するＯＮ／ＯＦＦに基づいて、ドレンポンプ１６、紫外線光源２５の動作を制御する。
【００２２】
［紫外線光源２５］
図２に示すように、透明部材２０の外面２０Ｂに対向するように紫外線光源２５が設けられている。紫外線光源２５は、本発明における殺菌要素発生源に該当し、ドレン溜まり１３０に集められるドレン水ＤＷに含まれる微生物およびスライムに向けて殺菌要素としての紫外線を照射する。紫外線光源２５から照射される紫外線は、透明領域をなす透明部材２０を透過して微生物およびスライムに照射される。
紫外線は、その波長により、ＵＶ-Ａ(４００ｎｍ〜３１５ｎｍ)、ＵＶ-Ｂ(３１５ｎｍ〜２８０ｎｍ)、ＵＶ-Ｃ（２８０ｎｍ〜２００ｎｍ）と一般的には分類される。本実施形態に係る紫外線光源２５としては、ＵＶ-Ｃ（２８０ｎｍ〜２００ｎｍ）として分類される波長、特に２８０ｎｍ〜２５０ｎｍの波長の紫外線を含む光を出射できることが好ましい。１８５ｎｍの紫外線は酸素を解離することによりオゾンの生成に寄与するので、この波長を含む波長の紫外線を選択すると殺菌効果を高めることができる。
所望する紫外線を発光できる限り紫外線光源２５の形態は問われない。例えば、発光ダイオード（light emitting diode:ＬＥＤ）、冷陰極管、水銀ランプなどを用いることができる。
【００２３】
［微生物の蓄積経緯］
次に、ドレンパン１３に微生物およびスライムが蓄積する経過を説明する。
まず、ドレンパン１３に集められるドレン水ＤＷには、微生物が含まれている。そして、ドレンポンプ１６を運転し、ドレンパン１３のドレン水ＤＷをドレン配管１７へと吸い上げると、ドレン水ＤＷとともにドレン水ＤＷ中の微生物およびスライムもドレン配管１７へと移動する。ドレン配管１７へと移動した微生物およびスライムはドレン配管１７の内壁に付着する。
【００２４】
ドレンポンプ１６の運転を停止すると、ドレン配管１７に残っている水が主に重力の作用によりドレンパン１３へと逆流する。このドレン配管１７からドレンパン１３側へと逆流する水は「戻り水」と称される。戻り水が発生する際には、戻り水ＲＷの水流により、ドレン配管１７内に蓄積した微生物およびスライムもドレンパン１３へと戻る。このため、ドレンパン１３のドレン水ＤＷ中には、大量の微生物およびスライムが溜まる。
【００２５】
ドレンポンプ１６の運転を再開すると、ドレン水ＤＷとともに微生物およびスライムを吸い上げ、ドレンポンプ１６やドレン配管１７にこの微生物およびスライムが付着・蓄積する。そして、再びドレンポンプ１６の運転を停止すると、ドレン配管１７からドレンパン１３へと戻り水が発生し、ドレン配管１７に蓄積した微生物およびスライムがドレンパン１３へと流される。
【００２６】
このようにして、ドレンポンプ１６が間欠的な運転を繰り返すことにより、ドレンパン１３とドレン配管１７との間でドレン水ＤＷと微生物およびスライムが往復することとなる。そして、微生物およびスライム、特に粘性状のスライムが過剰になると、ドレンポンプ１６やドレン配管１７で詰まり、ドレンポンプ１６の運転異常や排水不良といった不具合が生じることがある。そこで、本実施形態における排水ユニット３０は、スライムの生成主体である微生物を殺菌する紫外線光源２５を備える。
【００２７】
［排水ユニット３０の動作］
次に、図３および図４を参照して、排水ユニット３０の動作の一例を説明する。
本実施形態においては、図３（ａ）に示すように、室内機１０およびドレンポンプ１６の運転中には、紫外線光源２５から紫外線の照射を行わない。しかし、室内機１０およびドレンポンプ１６が停止すると、紫外線光源２５からの紫外線の照射を行う。ドレンポンプ１６が運転していると、ドレン溜まり１３０に集められるドレン水ＤＷはドレンポンプ１６で吸い上げられドレン配管１７を流れるので、図３（ａ）に示すように、ドレンパン１３のドレン水ＤＷは少ない。ところが、ドレンポンプ１６が停止すると、戻り水ＲＷがドレンパン１３に逆流するので、図３（ｂ）に示すように、ドレンパン１３のドレン水ＤＷは多くなる。
【００２８】
ドレンポンプ１６の運転・停止および紫外線光源２５からの紫外線の照射を制御する手順を、図４を参照して説明する。この制御の手順は、コントローラ４０が実行する。
空気調和装置の電源がＯＮされると、室内機１０は運転を開始する（図４  Ｓ１０１，Ｓ１０３）。室内機１０の運転が開始されると、コントローラ４０は水位計１９から送られてくる水位情報を取得する。この水位情報は、ドレン水ＤＷの水位が水位計１９を超えているか否かのいずれかである（図４  Ｓ１０５）。コントローラ４０による水位情報の取得は以後も継続して行われる（図４  Ｓ１０５  Ｎ）。
コントローラ４０は、ドレン水ＤＷの水位が水位計１９に達していることの水位情報を取得すると（図４  Ｓ１０５  Ｙ）、ドレンポンプ１６の運転を指示する（図４  Ｓ１０７）。
【００２９】
コントローラ４０は、ドレンポンプ１６が運転している最中に空気調和装置の電源がＯＦＦされることを検知すると（図４  Ｓ１０９  Ｙ）、ドレンポンプ１６の運転を停止させる（図４  Ｓ１１１）とともに、室内機１０の運転を停止させる（図４  Ｓ１１３）。コントローラ４０は、室内機１０を停止させた後に、紫外線光源２５から例えば紫外線からなる殺菌要素ＳＤの照射を指示する（図４  Ｓ１１５）。殺菌要素ＳＤの照射は所定時間だけ行われる。
【００３０】
コントローラ４０は、ドレンポンプ１６が運転を継続している間、ドレン水ＤＷの水位が水位計１９に達していることの水位情報を取得し、ドレン水ＤＷが水位計１９に達しているかまたは達していないかの判定を行う（図４  Ｓ１０９  Ｎ，Ｓ１１７）。
コントローラ４０は、ドレン水ＤＷの水位が水位計１９よりも低くなれば、ドレンポンプ１６の運転を停止させる（図４  Ｓ１１７  Ｎ）。この後も、コントローラ４０は水位計１９からの水位情報を取得して、上述したのと同様にドレンポンプ１６の運転などの制御を司る（図４  Ｓ１１９，Ｓ１０５）。
コントローラ４０は、ドレン水ＤＷの水位が水位計１９に達したままであれば、ドレンポンプ１６の運転を継続させる（図４  Ｓ１１７  Ｙ，Ｓ１０７）。この後は、コントローラ４０は、上述したのと同様にドレンポンプ１６の運転などの制御を司る。
【００３１】
［排水ユニット３０の効果］
本実施形態に係る排水ユニット３０は以下の効果を奏する。
排水ユニット３０は、殺菌要素発生源である紫外線光源２５からドレン溜まり１３０に貯溜されるドレン水ＤＷに向けて殺菌要素である紫外線を照射する。ドレン溜まり１３０にはドレンポンプ１６が対応して設けられているので、ドレン溜まり１３０にドレン水ＤＷとともに集まった微生物やスライムは殺菌された後に、ドレンポンプ１６で排出される。したがって、排水ユニット３０によれば、殺菌された微生物やスライムがドレンパン１３に残留するのを抑制できるので、微生物やスライムを除去するためのメンテナンスの頻度を低減できる。
【００３２】
特に、排水ユニット３０によれば、紫外線光源２５をドレン溜まり１３０に臨む位置であって、ドレンポンプ１６のドレン水ＤＷの吸い込み口に対応して設けている。これにより、排水ユニット３０によれば、ドレン水ＤＷ、戻り水ＲＷに加えて、ドレンポンプ１６およびその吸い込み口を同時に殺菌できる。つまり、排水ユニット３０によれば、複数の殺菌の対象を一度に集中的に殺菌できるので、ドレンパン１３の全体の微生物やスライムの発生を抑制できる。したがって、排水ユニット３０によれば、微生物やスライムを除去するためのメンテナンスの頻度をより低減できる。
【００３３】
また、本実施形態は、ドレンポンプ１６の運転を停止した後に紫外線光源２５を発光させるので、戻り水がドレン溜まり１３０に溜まってから殺菌することができる。これにより、前述した一度に集中的な殺菌が実現される。
【００３４】
以上、本発明の好ましい実施形態を説明したが、本発明の主旨を逸脱しない限り、上記実施形態で挙げた構成を取捨選択したり、他の構成に適宜変更したりすることが可能である。
以上の実施形態においては、ドレンポンプ１６および室内機１０の運転が停止してから紫外線光源２５を発光させた。しかし、紫外線光源２５による殺菌機能を発揮しうる限り、本発明における紫外線光源２５の発光のタイミングに制約はない。つまり、本発明において、ドレンポンプ１６の運転の有無にかかわらず紫外線光源２５を発光させることができ、例えば室内機１０が運転している間中、紫外線光源２５を発光させることができる。
【００３５】
以上の実施形態においては、紫外線光源２５をドレンパン１３の底部１３Ａに対向するように紫外線光源２５を設けたが、ドレン溜まり１３０に貯溜されるドレン水ＤＷに紫外線を照射できる限り、紫外線光源２５の位置は任意である。
例えば、図５に示すように、外周壁部１３Ｃに対向するように紫外線光源２５を設けることもできる。紫外線光源２５に対応する外周壁部１３Ｃの領域は紫外線が透過できる材料から構成される。
【００３６】
また、以上の実施形態においては、ドレンポンプ１６の直下に紫外線光源２５を設けたが、ドレン溜まり１３０に貯溜されるドレン水ＤＷに紫外線を照射できる限り、紫外線光源２５の位置は任意である。
例えば、図６に示すように、平面積の広いドレン溜まり１３０の場合には、紫外線光源２５は、必ずしもドレンポンプ１６の直下になくても、ドレン溜まり１３０に対向して設けることができる。この場合でも、紫外線光源２５はドレン溜まり１３０のドレン水ＤＷに対して紫外線を照射できる。
【００３７】
以上の実施形態においては、微生物の殺菌に紫外線を用いたが、本発明における殺菌要素は紫外線に限らない。
例えば、紫外線光源２５の代わりにオゾナイザを用いてドレン溜まり１３０にオゾン（Ｏ３）を生成して、ドレン水ＤＷの一部をオゾン水にすることにより、微生物を殺菌してもよい。ドレン水ＤＷの中では、オゾンの一部がヒドロキシルラジカル（hydroxyl radical，ＯＨラジカル）を発生させる。ヒドロキシルラジカルは活性酸素と称される分子のなかで最も酸化力が強く、細菌の糖質やタンパク質や脂質などあらゆる物質と反応して分解して殺菌する。
【００３８】
他の殺菌要素として、プラズマを発生させることで、微生物およびスライムを殺菌することもできる。最も簡易には、ドレン溜まり１３０のドレン水ＤＷの中に、一対の電極を配置し、パルス電源から両電極の間に高電圧パルスを印加して液体を気化させ、プラズマを発生させる。ドレン水ＤＷの一部はプラズマ処理水となって、微生物およびスライムを殺菌することができる。
【００３９】
さらに、他の殺菌要素として、加熱処理を掲げることができる。例えば、ドレン溜まり１３０に電熱線を配置し、この電熱線に通電して加熱することにより、周囲の微生物を殺菌できる。
【符号の説明】
【００４０】
１０    室内機
１１    ケース本体
１２    室内熱交換器
１３    ドレンパン
１３Ａ  底部
１３Ｂ  内周壁部
１３Ｃ  外周壁部
１３Ｄ  貫通孔
１３Ｅ  角隅部
１４    送風機
１５    導風板
１６    ドレンポンプ
１７    ドレン配管
１８    ドレンソケット
１９    水位計
２０    透明部材
２０Ａ  内面
２０Ｂ  外面
２５    紫外線光源
３０    排水ユニット
ＤＷ    ドレン水
ＲＷ    戻り水
【図１】
2020133915.tif 000003
【図２】
2020133915.tif 000004
【図３】
2020133915.tif 000005
【図４】
2020133915.tif 000006
【図５】
2020133915.tif 000007
【図６】
2020133915.tif 000008